(57)【要約】【課題】本発明は、据付け時の寸法（外枠筐体）を大きくすることなく、回転ドラムの容積増加が図られるドラム式洗濯機を提供することを目的とする。【解決手段】本発明は、外枠筐体内に置かれ、洗濯水を溜める外槽と、前記外槽の内側に回転自在に置かれ、洗濯物を収納して洗濯、すすぎ及び脱水、乾燥を行う回転ドラムと、前記回転ドラム内を流通する乾燥用空気が循環する乾燥用空気循環路と、前記乾燥用空気循環路に設けられた除湿装置、送風ファン、乾燥フィルター、およびヒータと、前記外枠筐体の前面に開閉自在に設けられた扉を有し、前記扉は前記回転ドラムの洗濯物出入口に対向する耐熱ガラス製の内部扉部材を有するドラム式洗濯乾燥機において、前記内部扉部材は、リング状の外鍔部と、前記外鍔部の内周端から前記洗濯物出入口に向けて径小になるように突き出る傾斜筒部と、前記傾斜筒部の先端から前記外鍔部の方に向けて傾斜筒部内に突き出す中央凹部を有し、前記中央凹部の奥側の外面側と前記外鍔部の外面側とがほぼ面一であることを特徴とする。【選択図】図２
2008093245.tif 000002
【特許請求の範囲】
【請求項１】
外枠筐体内に置かれ、洗濯水を溜める外槽と、
前記外槽の内側に回転自在に置かれ、洗濯物を収納して洗濯、すすぎ及び脱水、乾燥を行う回転ドラムと、
前記回転ドラム内を流通する乾燥用空気が循環する乾燥用空気循環路と、
前記乾燥用空気循環路に設けられた除湿装置、送風ファン、乾燥フィルター、およびヒータと、
前記外枠筐体の前面に開閉自在に設けられた扉を有し、
前記扉は前記回転ドラムの洗濯物出入口に対向する耐熱ガラス製の内部扉部材を有するドラム式洗濯乾燥機において、
前記内部扉部材は、リング状の外鍔部と、前記外鍔部の内周端から前記洗濯物出入口に向けて径小になるように突き出る傾斜筒部と、前記傾斜筒部の先端から前記外鍔部の方に向けて傾斜筒部内に突き出す中央凹部を有し、
前記中央凹部の奥側の外面側と前記外鍔部の外面側とがほぼ面一であることを特徴とするドラム式洗濯乾燥機。
【請求項２】
請求項１記載のドラム式洗濯乾燥機において、
前記内部扉部材は、前記中央凹部の奥側の中央部分を前記傾斜筒部の先端の方に向けて隆起させた隆起部を有することを特徴とするドラム式洗濯乾燥機。
【請求項３】
請求項１記載のドラム式洗濯機において、
前記扉の外径は、前記回転ドラムの奥行き長さより大きいことを特徴とするドラム式洗濯乾燥機。
【請求項４】
請求項１記載のドラム式洗濯機において、
前記外槽は、前記回転ドラムの洗濯物出入口と対向するところに設けた洗濯物出入開口を有し、
前記外鍔部が前記外槽の前記洗濯物出入開口よりも前記外槽の外側に位置し、前記傾斜筒部の先端が前記回転ドラムの洗濯物出入口内に位置することを特徴とするドラム式洗濯乾燥機。
【請求項５】
請求項１記載のドラム式洗濯乾燥機において、
前記扉は前記内部扉部材の外面側の位置する外部扉部材を有し、
前記外部扉部材の内面側は、前記内部扉部材の外鍔部に当接する外周寄り側を除いて前記内部扉部材と離間していることを特徴とするドラム式洗濯乾燥機。
【請求項６】
請求項５記載のドラム式洗濯乾燥機において、
前記外部扉部材を合成樹脂で形成し、
前記外部扉部材と前記内部扉部材が透明であることを特徴とするドラム式洗濯乾燥機。
【発明の詳細な説明】
【技術分野】
【０００１】
本発明はドラム式洗濯乾燥機において、洗濯物の乾燥容量を向上させた、ドラム式洗濯乾燥機に関するものである。
【背景技術】
【０００２】
ドラム式洗濯機において耐熱ガラス製扉を有し、入り口を大きくし洗濯物の出し入れがしやすいドラム式洗濯乾燥機については特開２００５−９５２２６号公報（特許文献１）に記載されている。
【０００３】
【特許文献１】特開２００５−９５２２６号公報
【発明の開示】
【発明が解決しようとする課題】
【０００４】
洗濯時には、洗濯物は水に濡れるため体積が乾燥しているときより小さくなる。このため、ドラム式洗濯乾燥機における洗濯容量の最大値は、乾燥した洗濯物が回転ドラム内に収容される量で決定される。
【０００５】
また、乾燥時における乾燥容量は洗濯物に乾燥ムラやしわが多く発生しないで乾燥できる洗濯物の容量で決定される。このため、洗濯物に必要な体積は洗濯時＜投入時＜乾燥時の順番になる。同じ容積の回転ドラムであれば洗濯物の重量は洗濯時＞投入時＞乾燥時となる。
【０００６】
このため、乾燥時の洗濯物の容量を増加させるためには洗濯物を収容する容積を大きくとる必要がある。しかしながら、据付け時の寸法制約上から回転ドラムの容積を大きく取れないなどの問題があった。
【０００７】
本発明は係る問題点に鑑み、据付け時の寸法（外枠筐体）を大きくすることなく、回転ドラムの容積増加が図られるドラム式洗濯機を提供することを目的とする。
【課題を解決するための手段】
【０００８】
本発明は、外枠筐体内に置かれ、洗濯水を溜める外槽と、前記外槽の内側に回転自在に置かれ、洗濯物を収納して洗濯、すすぎ及び脱水、乾燥を行う回転ドラムと、前記回転ドラム内を流通する乾燥用空気が循環する乾燥用空気循環路と、前記乾燥用空気循環路に設けられた除湿装置、送風ファン、乾燥フィルター、およびヒータと、前記外枠筐体の前面に開閉自在に設けられた扉を有し、前記扉は前記回転ドラムの洗濯物出入口に対向する耐熱ガラス製の内部扉部材を有するドラム式洗濯乾燥機において、前記内部扉部材は、リング状の外鍔部と、前記外鍔部の内周端から前記洗濯物出入口に向けて径小になるように突き出る傾斜筒部と、前記傾斜筒部の先端から前記外鍔部の方に向けて傾斜筒部内に突き出す中央凹部を有し、前記中央凹部の奥側の外面側と前記外鍔部の外面側とがほぼ面一であることを特徴とする。
【発明の効果】
【０００９】
本発明によれば、外枠筐体を大きくすることなく、回転ドラム外の容積の増加を図ることができる。このため、乾燥時の洗濯容量を増加することができ、同じ洗濯物の重量であれば乾燥ムラ及びしわを低減することができる。
【発明を実施するための最良の形態】
【００１０】
以下、本発明の実施形態に係わる実施例について、図を引用して説明する。
【００１１】
図１は本発明の実施例に係るもので、ドラム式洗濯乾燥機の斜視図を示す。
【００１２】
ベース１の上部には、鋼板と樹脂成形品で組合わされて構成された外枠筐体２が載せられている。外枠筐体２の正面には洗濯物を出し入れする扉３が設けられ、扉３は押しボタンスイッチ４により開閉操作が行なわれる。
【００１３】
扉３は、外側が意匠部品である合成樹脂成型品の外側扉部材３９と内側は耐熱ガラス製の内部扉部材４０により構成されている。外枠筐体２の側面部には排水ホース固定用穴５が設けられている。また、ドラム式洗濯乾燥機本体を持ち運び移動するために複数個の取っ手６が設けられている。
【００１４】
また、外枠筐体２の上面部には洗剤トレー７、乾燥用フィルター８が左右に取付けられている。これらの間には操作部９、表示部１０が設けられている。また、ベース１の側面部からは排水ホース１１が引き出されており、底部にはゴムを挿入した脚部１２が四隅に配置されている。
【００１５】
図２は本発明の実施例に係るもので、ドラム式洗濯機の縦断面図を示す。
【００１６】
外枠筐体２の内側には外槽２０が備えられる。外槽２０の下部は複数個のサスペンション２１により支持され、上部は前後に配置された２個の引きバネ２２、２３により支持されている。
【００１７】
サスペンション２１は外槽２０の全重量を支持するものであり、強固な構成に出来ている。また、脱水運転時に生じる外槽２０の上下振動を吸収し、脱水始動時の外槽２０の共振による異常振動を防止するための減衰機構などが設けられている。
【００１８】
また、外槽２０の上部から支持している引きバネ２２、２３は外槽２０の前後方向の倒れ防止を兼ねた支持や脱水時の前後、上下、左右振動を低減するために設けられている。
【００１９】
洗濯やすすぎ時には、洗濯やすすぎに必要な水が供給される。水道の蛇口に接続された給水ホース２４は給水電磁弁２５に接続されており、給水電磁弁２５の操作により注水ホース２６から洗剤投入ケース２７を経由して洗濯やすすぎに必要な水が供給される。
【００２０】
供給された水は、外槽２０の底部に洗濯水として、またすすぎ時にはすすぎ水として溜められている。洗剤投入ケース２７は、洗濯時に必要な洗剤を投入し、すすぎ時には仕上がりを良くするための柔軟仕上げ剤を投入する。
【００２１】
洗濯時には注水ホース２６から供給された水が、洗剤投入ケース２７の洗剤を溶かしながら外槽２０の上部からフレキシブルホース２８を介して投入される。
【００２２】
外槽２０の内側にある回転ドラム２９には扉３を開けて投入される洗濯物３０が存在する。回転ドラム２９の開口部の外周には脱水時の洗濯物３０によるアンバランスによる振動を低減するための流体バランサー３１が設けられている。
【００２３】
回転ドラム２９の内側には脱水時に高速回転で洗濯物３０に含まれている水分を脱水するための脱水穴３２が全周に複数個設けられている。また、回転ドラム２９の内側には洗濯時に洗濯物３０を掻き揚げるための複数個のリフター３３が設けられている。
【００２４】
回転ドラム２９は回転ドラム用金属製フランジ３４に連結された主軸３５を介してドラム駆動用モータ３６に直結されている。ドラム駆動用モータ３６は、外槽２０に固定された金属製フランジ３７に取付けられている。
【００２５】
本実施例の場合、ドラム駆動用モータ３６は磁石埋め込み形のインナーロータでステ−タは集中巻の巻線を有するＤＣブラシレスモータを使用している。外槽２０の開口部には弾性体からなるゴム系のベローズ３８が取付けられている。
【００２６】
このべローズ３８は扉３と水密性を保って接している。扉３は合成樹脂成型品の外部扉部材３９と耐熱ガラス製の内部扉部材４０で構成され、内部扉部材４０の傾斜筒部８２が
べローズ３８と接して水密性を維持する役割を担っている。
【００２７】
これにより、洗濯、すすぎ及び脱水、乾燥時の水漏れの防止が図られている。
【００２８】
外枠筐体２の前面にヒンジにより回動自在に備わる扉３は、外枠筐体２に設けた洗濯物出入外開口部を開閉する。この洗濯物出入外開口部に対向する内方のところに外槽２０の開口部（洗濯物出入口）が設けられている。
【００２９】
外槽２０の開口部（洗濯物出入開口）に対向する内方のところに回転ドラム２９の洗濯物出入口が設けられる。回転ドラム２９の洗濯物出入口は、流体バランサー３１の内周側開口によって形成される。
【００３０】
内部扉部材４０は、合成樹脂成型品の外部扉部材３９で挟み込んで固定するため全周に外鍔部８０が設けられている。傾斜筒部８２の内方側の先端８３が流体バランサー３１の回転軸心線方向にラップするように配置されている。
【００３１】
扉３について更に詳しく説明する。
【００３２】
扉３は、回転ドラム２９の洗濯物出入口に対向する耐熱ガラス製の内部扉部材４０と、合成樹脂成型品の外部扉部材３９を有する。
【００３３】
内部扉部材４０は、リング状の外鍔部８０と、外鍔部８０の内周端から洗濯物出入口に向けて径小になるように突き出る傾斜筒部８２と、傾斜筒部８２の先端８３から外鍔部８０の方に向けて傾斜筒部８２内に突き出す中央凹部８４を有する。
【００３４】
中央凹部８４の奥側部位８６の外面側は、外鍔部８０の外面側よりも若干内側に後退しているがほぼ面一になっている。外部扉部材３９の中央を外側に突出させると、中央凹部８４の奥側部位８６を外鍔部８０の外面側よりも外側に突き出すことができる。
【００３５】
この内部扉部材４０の中央凹部８４には洗濯物が入るので、回転ドラム２９の内容積増加になる。このため、洗濯容量の増加を図ることができる。加えて乾燥時の洗濯容量を増加することができ、同じ洗濯物の重量であれば乾燥ムラ及びしわを低減することができる。
【００３６】
また、上述したように、傾斜筒部８２の先端８３が回転ドラム２９の洗濯物出入口に位置し、中央凹部８４の外側端面は外槽２０の開口部（洗濯物出入開口）の外側端面４７より外側に位置するので、外枠筐体２の外回り寸法を大きくすることなく、内部扉部材４０の中央凹部８４が外枠筐体２内に収まる。
【００３７】
したがって、外枠筐体２の外回りサイズを大きくすることなく、回転ドラム２９の内容積増加を実現できる。
【００３８】
また、回転ドラム２９の回転軸心線に対する中央凹部８４の周壁の傾き角度は、傾斜筒部８２の傾き角度よりも大きくなっている。中央凹部８４の周壁の傾き角度を傾斜筒部８２の傾きと同様に緩くすると、中央凹部８４の内容積が増し、回転ドラム２９の内容積増加になる。
【００３９】
なお、回転ドラム２９の回転軸心線に対する中央凹部８４の周壁の傾き角度を０°にすると、中央凹部８４の内容積は最大になる。但し、成形性の面からは、幾分勾配を設けるのが望ましい。
【００４０】
さらに、内部扉部材４０は、中央凹部８４の奥側部位８６の外面側が平坦なる外部扉部材３９の内側面にほぼ面一なるように近接しているが接触していない。乾燥運転工程では、耐熱ガラス製の内部扉部材４０が洗濯乾燥物に、直接触して高温になっている。外部扉部材３９は内部扉部材４０の中央凹部８４と接触していないので、内部扉部材４０のように高温にならなく、温度上の支障はない。
【００４１】
また、内部扉部材４０は、リング状の外鍔部８０と、傾斜筒部８２と、中央凹部８４とを有する断面が幾重にも深く折れ曲がった形状になっているので、剛性がアップされた丈夫なガラス構造体になっている。丈夫な扉３をもったドラム式洗濯乾燥機を提供できる。
【００４２】
洗濯やすすぎが終了して不要になった水や脱水時に洗濯物３０から脱水された水は、排水弁４１を開放して排水ホース１１から排水される。
【００４３】
乾燥時は送風ファン４２により送風された送風は洗濯物３０が入った回転ドラム２９の中及び外周を通ってくるためリントが含まれるので必ず乾燥用フィルター８を通す必要がある。
【００４４】
このため、乾燥用フィルター８を経由してヒータ４３に送風し、加熱された温風は外槽上部に設けられた開口部４４より回転ドラム２９の中に送風される。
【００４５】
温風は洗濯物３０を通って回転ドラム２９の後部から外槽２０の底部に設けられた除湿装置４５の通風口４６を通って除湿装置４５で除湿され送風ファン４２により循環を繰り返して洗濯物３０を乾燥させる。
【００４６】
図３は本発明の実施例に係るもので、ドラム式洗濯機の運転工程を示すブロック図である。
【００４７】
この運転工程は洗濯物３０に付着した汚れを落としたり、また、すすぎによる洗剤分をすすいだり、また、洗濯物３０に含まれた水分を回転ドラム２９の高速回転による遠心力で脱水したり、それらの水分を排水することなどの一連の工程を自動的に行う一般的な自動洗濯コースがこのブロック図に示されている。
【００４８】
以下ブロック図をもとに各工程の説明を行う。給水電磁弁２５の操作により給水５０が行われる。洗い工程５１は洗濯に必要な水が外槽２０内に供給されるとドラム駆動用モータ３６が回転し、回転ドラム２９の回転が行なわれる。
【００４９】
このときの回転ドラム２９の回転数は毎分４０〜５０回転で、休止をおいて右回転、左回転を数分づつ行うことにより、洗濯物３０が回転ドラム２９内のリフター３３により掻き揚げられながら叩き洗いにより洗濯される。
【００５０】
洗い工程５１が終了すると洗いにより洗濯物３０に付着した汚れが除去され、汚れた洗濯水を洗濯機外に排出する排水工程５２へ移行する。排水が終了した後、洗濯物３０に含まれている洗剤分を脱水する脱水工程５３へ移行する。
【００５１】
脱水工程５３では、回転ドラム２９を高速回転して洗濯物３０を遠心力により回転ドラム２９の内壁に設けられた複数個の脱水穴３２より脱水される。このときの回転数は毎分８００〜１５００回転としている。
【００５２】
脱水工程５３が終了すると、洗濯物３０に含まれた洗剤分をすすぐ、すすぎ工程５４へ移行する。すすぎ工程５４に入る前に、洗い工程５１と同じように清水を供給する給水工程５０にて必要な清水を外槽２０内に供給される。
【００５３】
すすぎに必要な清水は本実施例では洗いと同じく２５〜３０リットルの給水がされる。規定量の清水が給水されると、すすぎ工程５４に自動的に進行し、洗い時工程と同じように回転ドラム２９が低速回転（毎分４５回転前後）しながら洗濯物３０に含まれた洗剤分を除去する。
【００５４】
本実施例ではすすぎは２回となっているがすすぎ工程５４の回数は２〜３回となっているものもある。すすぎ工程５４が終了後、排水が行われ洗濯物３０に含まれる水分を充分に脱水するため最終脱水工程５５に移行する。
【００５５】
最終脱水工程５５の脱水時間は一般的に５分以上で、回転ドラム２９を高速回転させ洗濯物３０の水分を遠心力で除去するものである、この時の脱水率は６０〜６５％となる。
【００５６】
なお、ドラム式洗濯乾燥機では、熱源としてヒータ４３により温風を槽内に循環させ洗いから乾燥まで自動的に進行する。この場合は最終脱水工程５５が終了した後、自動的に乾燥工程５６へ移行する。
【００５７】
乾燥工程５６では洗濯物３０の水分が充分に除去された後、ヒータ４３により温風を洗濯物３０に吹きつけながら回転ドラム２９を毎分４５〜５５回転で反転もしくは一方向に回転させて洗濯物３０の水分を除去して乾燥させるものである。
【００５８】
乾燥時間を短くするには最終脱水工程５５における回転数を上げて脱水率を上げる必要があるため、最高で毎分１５００回転としている。これにより、回転ドラム２９の径にもよるが脱水率は約７０％となる。
【００５９】
図４は本発明の実施例に係るもので、ドラム式洗濯機を駆動する回路を示す。ＡＣ１００Ｖの商用電源６０はコンセント６１を介して電源スイッチ６２と並列に配置されたヒューズ６３を通ってフィルター回路６４に入る。
【００６０】
フィルター回路６４の後方からは各種電気部品及び整流回路６５に直接電源を供給している。整流回路６５からは低圧の直流電源を供給するためのスイッチング電源６６、インバータ回路６７が接続されている。
【００６１】
また、この間には電圧検知回路６８及びヒューズ６９が接続されている。インバータ駆動回路７０はドラム駆動用モータ３６に付いている回転位置センサー７１の信号によりインバータ駆動回路６７を制御してドラム駆動用モータ３６を回転させている。ドラム式洗濯機全体の制御はマイコン７２により行われる。
【００６２】
商用電源６０で直接駆動される電気部品としては給水電磁弁２５、排水弁４１があり、各々に直列に接続されたリレー接点７３をマイコン７２によりリレー巻線７４に流れる電流を制御して行われる。
【００６３】
また、乾燥工程で使用する送風ファン４３と洗濯及びすすぎ時に使用する循環ポンプモータ７６は同一インバータ回路７７を切替えスイッチ７８で切替えて使用している。このため、回路が共用化できコストが低減できる。
【００６４】
ヒータ４３は同じ容量のヒータが並列に接続されており、電源はフィルター回路６４の前からとっている。この理由は、ヒータ４３は純抵抗なのでフィルター回路６４を通す必要がないこととヒータ４３は電流が大なのでフィルター回路６４の前に使用することによりインダクタンスの容量の低減を図っている。
【００６５】
図５に示す他の実施例について説明する。
【００６６】
この実施例は、先の実施例（図２）と同様に内部扉部材４０に特徴がある。
【００６７】
この実施の特徴は、先の実施例（図２）に加え、内部扉部材４０の中央凹部８４の奥側の中央部分を傾斜筒部８２の先端８３の方に向けて隆起させた隆起部９０を有するところにある。
【００６８】
もちろん、中央凹部８４の奥側部位８６の外面側は、先の実施例（図２）と同様に、外鍔部８０の外面側よりも若干内側に後退しているがほぼ面一になっている。
【００６９】
このように、中央凹部８４の奥側の中央部分に傾斜筒部８２の先端８３の方に向けて隆起させた隆起部９０を設けることにより、ガラス製の内部扉部材４０は更に剛性がアップする。丈夫な扉３をもったドラム式洗濯乾燥機を提供できる。
【００７０】
さらに、図６に示す本発明の他の実施例について説明する。
【００７１】
この実施例は、先の実施例（図２）と同様に内部扉部材４０に特徴がある。
【００７２】
この実施の特徴は、内部扉部材４０の中央凹部８４０の奥側が球面形状を有するところにある。
【００７３】
もちろん、中央凹部８４０の奥側部位８６の外面側は、先の実施例（図２）と同様に、外鍔部８０の外面側よりも若干内側に後退しているがほぼ面一になっている。
【００７４】
このように、中央凹部８４０の奥側が球面形状になっているので、先の実施例（図２）に示される中央凹部８４０の奥側が平坦形状のものに比べ丈夫である。
【００７５】
扉３による回転ドラムの容積増加について、更に説明を加える。
【００７６】
洗濯時と乾燥時における必要容積について説明する。
【００７７】
洗濯時には回転ドラム２９の中の洗濯物３０を駆動用モータ３６により回転ドラム２９を回転させてリフター３３により掻き揚げて落下させ叩き洗いを行う。
【００７８】
このため、洗濯物３０は回転ドラム２９の中の底部に落下させる必要があるので、洗濯時に回転ドラム２９内の容積部分を使用する必要がある。
【００７９】
これに対して、乾燥時は回転ドラム２９内に温風を吹き込み、洗濯物３０を乾燥させるので、洗濯物３０が動く空間があればよいので必ずしも回転ドラム２９の中に洗濯物３０が入っている必要はなく、回転ドラム２９以外の部分で容積を稼いでよい。
【００８０】
そこで、耐熱ガラス製の内部扉部材４０に中央凹部を設けて容積を増加させた。
【００８１】
図２に示すように、中央凹部の奥側部分を平坦にすることにより、中央凹部の容積が増し、乾燥時に洗濯物３０が膨張して洗濯物３０の入れ替えが良く行なわれ、乾燥ムラやしわなどの低減が図られる。
【００８２】
また、図５による実施例の場合は、中央凹部の奥側部分が平坦ではなく曲面となっているので容積の増加と合わせて強度を上げることができる。
【００８３】
また、図６による実施例では、中央凹部の奥側部分が平坦ではなく、球面（湾曲）にしているので容積の増加と合わせて強度も増加できるのでガラス板厚を薄くできる。
【００８４】
耐熱ガラス製の内部扉部材の中央凹部に洗濯物３０が直接接触するのは、乾燥が進んで洗濯物３０の体積が増加してからである。逆に水分が多く摩擦係数が著しく洗濯時には、洗濯物３０の体積が少ない。このため、洗濯物３０は内部扉部材の中央凹部に接触する度合が少なくなり、洗濯物３０は傷みづらくなるメリットがある。
【００８５】
つまり、内部扉部材に中央凹部を設けることにより、乾燥ムラやしわなどの低減が図られるとともに洗濯物３０の傷みが少ないドラム式洗濯機を提供できる。
【００８６】
また、耐熱ガラス製に内部扉部材の中央凹部は、外槽２０の開口部（洗濯物出入開口）の外側端面４７より外側に位置しているので回転ドラム２９と外槽２０の空間を有効に使用でき、普通は使用しないこの部分で容積を増加させている。
【００８７】
また、図６に示すように外側から中を見たとき、同一方向の湾曲の面積が大きいので大きな屈折率の変化がなく、中が見えやすい。
【００８８】
乾燥時の容積を大きくするためにはガラス製の内部扉部材４０の口径を大きくする必要がある。このため、回転ドラム２９の奥行きの長さより外径が大きい方が耐熱ガラス製の内部扉部材４０の外径を大きくとることができるのでより容積増加の効果を期待でき、かつ大きな内部扉部材４０から回転ドラム２９の内部を良く覗くことができる。
【図面の簡単な説明】
【００８９】
【図１】本発明の実施例に係るもので、ドラム式洗濯乾燥機の斜視図を示す。
【図２】本発明の実施例に係るもので、ドラム式洗濯乾燥機の縦断面図を示す。
【図３】本発明の実施例に係るもので、ドラム式洗濯機の運転工程を示すブロック図である。
【図４】本発明の実施例に係るもので、ドラム式洗濯機を駆動する回路を示す。
【図５】本発明の他の実施に係るもので、ガラス製の内部扉部材扉の縦断面図を示す。
【図６】本発明の更なる他の実施に係るもので、ガラス製の内部扉部材扉の縦断面図を示す。
【符号の説明】
【００９０】
２…外枠筐体、２９…回転ドラム、３０…洗濯物、４０…耐熱ガラス製の内部扉部材扉、４２…送風ファン、４３…ヒータ、４５…除湿装置、８０…リング状の外鍔部、８２…傾斜筒部、８４…中央凹部、８６…奥側部位。
【図１】
2008093245.tif 000003
【図２】
2008093245.tif 000004
【図３】
2008093245.tif 000005
【図４】
2008093245.tif 000006
【図５】
2008093245.tif 000007
【図６】
2008093245.tif 000008